(57)【要約】【課題】燃料圧力センサの特性異常診断を行う際の実施条件が複雑化せず、燃料圧力センサの特性異常診断を行う機会が増加し、これにより燃料圧力センサの信頼性を高めることができるようにする。【解決手段】キースイッチをＯＮしてＥＣＵ２１を起動させると、直前のキースイッチＯＦＦ時までのアイドル時間Ｔidとソーク時間Ｔｓとが読込まれ、アイドル時間Ｔidが設定アイドル時間以上継続し、且つソーク時間が設定ソーク時間を超過している場合、燃料圧力センサの診断実行条件成立と判定する（Ｓ１，Ｓ２）。診断実行条件としてキースイッチＯＦＦ時までのアイドル時間Ｔidが設定アイドル時間以上継続していることが加えられているため、エンジン停止時の燃料圧力が低圧となり、比較的短いソーク時間であっても、診断実行条件を満足させることができる。【選択図】図２
2015040493.tif 000002
【特許請求の範囲】
【請求項１】
各気筒に臨まされて該各気筒に燃料を直接噴射する燃料噴射手段と、
エンジン駆動により高圧燃料を発生させる高圧燃料発生手段と、
前記高圧燃料発生手段から吐出される高圧燃料を前記燃料噴射手段に供給する燃料ギャラリと、
前記燃料ギャラリに臨まされて該燃料ギャラリ内の燃料圧力を検出する燃料圧力センサと、
キースイッチがオンされた後に所定の診断実行条件を判定し、該診断実行条件が成立された場合、前記燃料圧力センサの特性異常を診断する特性異常診断手段と
を備える燃料圧力センサの特性異常診断装置において、
前記特性異常診断手段で判定する前記診断実行条件は、少なくとも前記キースイッチがオンされた後に、記憶手段に記憶されている直前のキースイッチがオフされるまでに継続されたアイドル時間とソーク時間とを読込み、該アイドル時間が設定アイドル時間以上継続され、且つ前記ソーク時間が設定ソーク時間を超えている場合、診断実行条件成立と判定する
ことを特徴とする燃料圧力センサの特性異常診断装置。
【請求項２】
前記特性異常診断手段は、前記診断実行条件成立と判定した場合、前記燃料圧力センサで検出した燃料圧力が予め設定した公差範囲よりも高いか否かを判定し、該公差範囲を上回っている場合、前記燃料圧力センサの公差正側の特性異常と判定する
ことを特徴とする請求項１記載の燃料圧力センサの特性異常診断装置。
【請求項３】
前記特性異常診断手段は、前記診断実行条件成立と判定した場合、前記燃料圧力センサで検出した燃料圧力が予め設定した公差範囲よりも低いか否かを判定し、該公差範囲を下回っている場合、エンジン始動後における前記燃料圧力センサで検出した前記燃料圧力を読込み、該燃料圧力が地絡判定しきい値より高い場合、前記燃料圧力センサの公差負側の特性異常と判定する
ことを特徴とする請求項１又は２記載の燃料圧力センサの特性異常診断装置。
【請求項４】
前記特性異常診断手段は、前記燃料圧力が前記地絡判定しきい値より低い場合、前記燃料圧力センサの地絡異常と判定する
ことを特徴とする請求項３記載の燃料圧力センサの特性異常診断装置。
【発明の詳細な説明】
【技術分野】
【０００１】
本発明は、燃料系に設けられて燃料の圧力を検出する燃料圧力センサが異常か否かを診断する燃料圧力センサの特性異常診断装置に関する。
【背景技術】
【０００２】
従来、直噴式エンジンにおいては、筒内に燃料を直接噴射するインジェクタ（燃料噴射手段）を各気筒に備え、燃料タンクに貯留されている燃料を低圧ポンプが昇圧し、高圧燃料ポンプ（高圧燃料発生手段）で更に昇圧して高圧燃料ギャラリに導入し、この高圧燃料ギャラリに連通するインジェクタから筒内に燃料を直接噴射する。
【０００３】
高圧燃料ギャラリに供給される燃料圧力は制御手段（ＥＣＵ）において制御される。制御手段では、先ず、エンジンの稼働状況に応じて目標燃料圧力を設定し、燃料圧力センサで検出した実際の燃料圧力が目標燃料圧力に収束するようにフィードバック制御を行う。そして、燃料圧力センサによって検出された燃料圧力、及びエンジンの稼働状況に応じて設定された目標燃料噴射量をインジェクタから筒内に噴射させる。
【０００４】
高圧燃料ギャラリに供給される燃料圧力、及び燃料噴射量を最適な状態に制御するためには、燃料圧力センサの出力特性が所定の公差範囲内に収まっている必要がある。又、燃料圧力センサのリード線が断線・地絡している場合、正確な燃料圧力を現出することができなくなる。
【０００５】
例えば特許文献１（特許第３９６６１３０号公報）には、ソーク時間（エンジン停止時からキースイッチをＯＮするまでの時間）が予め設定した時間を経過している場合、高圧燃料ギャラリ（コモンレール）に供給されている燃料圧力が大気圧相当の圧力まで低下し、燃料圧力センサ（コモンレール圧センサ）の異常判定（特性診断）が可能であると判断する。そして、高圧燃料ギャラリに蓄圧されている燃料圧力が所定範囲外に有るか否かを判定し、この燃料圧力が所定範囲外の場合は、燃料圧力センサの低出力側での特性異常が生じていると判定する技術が開示されている。
【先行技術文献】
【特許文献】
【０００６】
【特許文献１】特許第３９６６１３０号公報
【発明の概要】
【発明が解決しようとする課題】
【０００７】
上述した文献に開示されている技術では、燃料圧力センサの特性異常を判定するに際し、ソーク時間が予め設定した時間よりも長い場合は、高圧燃料ギャラリ（コモンレール）に供給されている燃料圧力が大気圧相当の圧力まで低下していると推定している。
【０００８】
しかし、高圧燃料ギャラリに供給されている燃料圧力が大気圧相当の圧力まで低下する時間は、エンジン停止直前の運転状態によって大きく変動する。そのため、この設定時間が短い場合は、高圧燃料ギャラリ内の燃料圧力が大気圧相当の圧力まで充分に低下しておらず、燃料圧力センサの特性異常診断を行うことが出来ない。従って、上述した所定時間は高圧燃料ギャラリに供給されている燃料圧力が大気圧相当の圧力まで充分に低下する時間に設定する必要がある。その結果、比較的長いソーク時間でなければ特性異常診断を行うことが出来ず、その分、診断の機会が少なくなる不都合がある。
【０００９】
又、上述した文献に開示されている技術では、ソーク時間を比較する設定時間に代えて、エンジン停止後の冷却水温、吸気温度、燃料温度、エンジン油温の何れかの低下量が所定値以上の場合、高圧燃料ギャラリ内の燃料圧力が大気圧相当の圧力まで低下したと推定する技術も提案している。しかし、キースイッチをＯＮする際に、冷却水温等を検出し、これに基づいて燃料圧力が大気圧相当の圧力まで低下したか否かを推定することは、診断実行条件が複雑化してしまう問題がある。
【００１０】
更に、上述した文献に開示されている技術では、燃料圧力センサの異常が特性異常によるものか、地絡異常によるものかの判別ができないという問題がある。
【００１１】
本発明は、上記事情に鑑み、燃料圧力センサの特性異常診断を行う際の実行条件が複雑化せず、比較的短いソーク時間であっても、高圧燃料ギャラリに供給されている燃料圧力を検出する燃料圧力センサの特性異常診断を行う機会が増加し、これにより燃料圧力センサの信頼性を高めることのできる燃料圧力センサの特性異常診断装置を提供することを目的とする。
【課題を解決するための手段】
【００１２】
本発明は、各気筒に臨まされて該各気筒に燃料を直接噴射する燃料噴射手段と、エンジン駆動により高圧燃料を発生させる高圧燃料発生手段と、前記高圧燃料発生手段から吐出される高圧燃料を前記燃料噴射手段に供給する燃料ギャラリと、前記燃料ギャラリに臨まされて該燃料ギャラリ内の燃料圧力を検出する燃料圧力センサと、キースイッチがオンされた後に所定の診断実行条件を判定し、該診断実行条件が成立された場合、前記燃料圧力センサの特性異常を診断する特性異常診断手段とを備える燃料圧力センサの特性異常診断装置において、前記特性異常診断手段で判定する前記診断実行条件は、少なくとも前記キースイッチがオンされた後に、記憶手段に記憶されている直前のキースイッチがオフされるまでに継続されたアイドル時間とソーク時間とを読込み、該アイドル時間が設定アイドル時間以上継続され、且つ前記ソーク時間が設定ソーク時間を超えている場合、診断実行条件成立と判定する。
【発明の効果】
【００１３】
本発明によれば、制御手段は、キースイッチがオンされた際に、直前のキースイッチオフ時における該キーオフまでのアイドル時間とソーク時間とを読込み、該アイドル時間が設定アイドル時間以上継続され、且つ前記ソーク時間が設定ソーク時間を超えている場合、診断実行条件成立と判定するようにしたので、エンジン停止時の負荷が最小となり、燃料ギャラリの内圧が大気圧相当の圧力に低下するまでの時間が短縮される。その結果、比較的短いソーク時間であっても、燃料ギャラリ内の燃料圧力を大気圧相当の圧力まで低下させることができ、燃料圧力センサの特性異常診断を行う際の実施条件が複雑化せず、燃料圧力センサの特性異常診断を行う機会が増加し、これにより燃料圧力センサの信頼性を高めることができる。
【図面の簡単な説明】
【００１４】
【図１】筒内直噴エンジンの燃料噴射制御系を示す概略構成図
【図２】燃料圧力センサ特性異常診断ルーチンを示すフローチャート
【図３】燃料圧力センサの出力値と高圧燃料ギャラリに供給されている燃料圧力との関係を示す特性図
【図４】（ａ）はキースイッチのＯＮ/ＯＦＦ動作を示すタイムチャート、（ｂ）はエンジン回転数の変化を示すタイムチャート、（ｃ）は高圧燃料ギャラリ内の燃料圧力の変化を示すタイムチャート
【発明を実施するための形態】
【００１５】
以下、図面に基づいて本発明の一実施形態を説明する。図１の符号１は筒内直噴エンジンであり、図においては水平対向型４サイクルガソリンエンジンが示されている。
【００１６】
この筒内直噴エンジン１の左右バンクに設けられている気筒（図示せず）に燃料噴射手段としての高圧インジェクタ２，３の先端の噴射ノズルが臨まされている。又、この各高圧インジェクタ２，３に、高圧燃料を供給する高圧燃料ギャラリ４，５が連通されている。
【００１７】
この各高圧燃料ギャラリ４，５は燃料ギャラリライン６を介して互いに連通されており、従って、この両高圧燃料ギャラリ４，５に供給される燃料圧力は常に同じ値を示している。又、本実施形態では、左バンクの高圧燃料ギャラリ５に高圧燃料ライン７の下流が連通され、この高圧燃料ライン７の上流に、燃料圧力を所定の高圧力に昇圧するためのプランジャポンプ等からなる高圧燃料発生手段としてのエンジン駆動式高圧燃料ポンプ８が連通されている。
【００１８】
更に、この高圧燃料ポンプ８に低圧燃料ライン９の下流が連通され、この低圧燃料ライン９の上流が、燃料タンク１０内に配設されている電動式低圧燃料ポンプ１１に連通されている。又、高圧燃料ポンプ８に設けられているリリーフバルブ８ａから吐出する燃料はポンプ内部で低圧側に戻される。更に、この高圧燃料ポンプ８の上流に、高圧燃料ギャラリ５へ供給する燃料圧力を調圧する燃料圧力調整ソレノイドバルブ８ｂが設けられている。更に、左バンクの高圧燃料ギャラリ４に燃料圧力センサ１３が臨まされている。
【００１９】
上述した燃料圧力調整ソレノイドバルブ８ｂは、制御手段としての電子制御装置（ＥＣＵ）２１によって制御される。ＥＣＵ２１は、ＣＰＵ、ＲＯＭ、ＲＡＭ、バックアップＲＡＭ等を所定に備えるマイクロコンピュータを中心として構成され、更に、図示しないが各部に安定化電源を供給する定電圧回路、燃料圧力調整ソレノイドバルブ８ｂ等を駆動させる駆動回路、及び、燃料圧力センサ１３等から出力されるアナログ信号をデジタル信号に変換するＡ／Ｄ変換器等の周辺回路が内蔵されている。
【００２０】
このＥＣＵ２１の入力側には、上述した燃料圧力センサ１３以外に、アクセルペダルの踏込み量を検出するアクセルポジションセンサ２２、エンジン回転数Ｎｅを検出するエンジン回転数センサ２３、及びキースイッチ２４、エンジン水温Ｔｗを検出するエンジン水温センサ２５等が接続されていると共に、バッテリ電圧ＶBTが入力される。又、このＥＣＵ２１の出力側には、燃料圧力調整ソレノイドバルブ８ｂ以外に、高圧インジェクタ２，３等が接続されている。
【００２１】
ＥＣＵ２１は、筒内直噴エンジン１の運転状態に基づいて目標燃料圧力を設定し、この目標燃料圧力に燃料圧力センサ１３で検出した、高圧燃料ギャラリ４，５に供給される燃料圧力が収束するように、燃料圧力調整ソレノイドバルブ８ｂをフィードバック制御して、燃料の供給圧力を調整する。更に、ＥＣＵ２１は、エンジン回転数センサ２３で検出したエンジン回転数Ｎｅとアクセルポジションセンサ２２で検出したアクセル開度とに基づき、予め実験等から求めた基本燃料噴射マップを参照して基本噴射量を求め、上述した目標燃料圧力、及び基本噴射量から算出した噴射量に対応する駆動信号を高圧インジェクタ２，３に印加し、各気筒に所定に計量された燃料を噴射する。
【００２２】
このように、高圧インジェクタ２，３から噴射される燃料量は、高圧燃料ギャラリ４，５に供給されている燃料圧力に依存しており、燃料圧力センサ１３の特性に異常が生じた場合、高圧インジェクタ２，３から正確に計量された燃料を噴射させることかできない。そのため、ＥＣＵ２１では、キースイッチ２４がＯＮされた際に、予め設定されている特性異常診断実行条件を調べ、それが満足された場合、燃料圧力センサ１３の特性を診断し、異常を検出した場合は、異常箇所を特定する。
【００２３】
上述したＥＣＵ２１で実行される燃料圧力センサ１３の特性異常診断は、図２に示す燃料圧力センサ特性異常診断ルーチンに従って処理される。
【００２４】
このルーチンは、運転者がキースイッチ２４をＯＮし（図４(a)の経過時間ｔ２）、ＥＣＵ２１を起動させた後、１回のみ実行され、先ず、ステップＳ１で、特性異常診断を行うに必要なパラメータを読込む。すなわち、キースイッチ２４がＯＮされたときのバッテリ電圧ＶBT、及び、前回のキースイッチ２４がＯＦＦされてエンジンが停止したとき（図４の経過時間０）における、その直前のアイドル時間Ｔid（図４(c)参照）、及び、エンジン停止直前のエンジン水温Ｔｗ、及びソーク時間（エンジン停止時からキースイッチ２４をＯＮするまでの時間）Ｔｓ（図４(c)の経過時間０〜ｔ２）を読込む。尚、このアイドル時間Ｔidは、例えばアクセルポジションセンサ２２の出力値が０[%]を示し、その状態がエンジン停止までの継続している時間を計時し、或いは燃料カットが実行されずにエンジン回転数Ｎｅがアイドル回転数を示し、その状態がエンジン停止まで継続している時間を計時し、その継続時間をアイドル時間Ｔidとして記憶する。
【００２５】
そして、ステップＳ２へ進み、バッテリ電圧ＶBTが設定電圧を超過しているか、アイドル時間Ｔidが設定アイドル時間以上継続されていたか、エンジン水温Ｔｗが完全暖機状態を示す設定水温を超過しているか、ソーク時間Ｔｓが設定ソーク時間を超過しているかを調べる。ここで、設定電圧は燃料圧力センサ１３の出力値が安定的に検出できる下限値（例えば、10.5[V]）であり、予め実験などから求めて設定されている。又、エンジン完全暖機状態は、エンジン水温Ｔｗからエンジン停止前のエンジンの暖機状況を推定するものであり、この場合、エンジン完全暖機状態を推定する手段としては、エンジン水温に代えて、前回の運転時における積算吸入空気量や積算燃料噴射量等を用いてもよい。
【００２６】
この設定アイドル時間は、高圧燃料ギャラリ４，５内の燃料圧力が低い状態でエンジン停止されたか否かを判定するための時間である。すなわち、高圧燃料ギャラリ４，５に供給されている燃料圧力は、エンジン停止直前のエンジン負荷や稼働状況によって変化する。エンジン負荷が高ければ、それに応じて燃料噴射量を増加させる必要があるため、燃料圧力は高く設定される。エンジン１が停止すれば高圧燃料ギャラリ４，５に供給されている燃料圧力は経時的に低下し、しばらく放置しておけば大気圧相当の圧力まで低下させることができる。
【００２７】
この場合、燃料圧力が高い状態でエンジン停止させると、燃料圧力が低い状態でエンジン停止させた場合に比し、大気圧相当の圧力に低下するまでの時間は長くなる。エンジン負荷の最も低い運転状態はアイドル運転であり、運転者がアクセルペダルを開放（アクセルポジションセンサ２２の出力値が０[%]）させると、ＥＣＵ２１が燃料圧力調整ソレノイドバルブ８ｂを動作させて高圧燃料ギャラリ４，５に供給されている燃料圧力を直ちに最小圧力まで低下させる。設定アイドル時間は、高圧燃料ギャラリ４，５内の燃料圧力をアイドル運転時の最小圧力まで低下させるのに充分な時間であり、予め実験等から求めて設定している。尚、本実施形態では、この設定アイドル時間をおおよそ５〜１０[sec}程度に設定している。
【００２８】
又、エンジン停止直前の高圧燃料ギャラリ４，５に供給されている燃料圧力がアイドル運転時の値まで低下されているため、この燃料圧力がエンジン停止後、大気圧相当の圧力に低下するまでの時間は相対的に短くなると共に、ほぼ一定となる。そのため、本実施形態では、燃料圧力が大気圧相当の圧力に低下するまでの時間を、予め実験等から求め、その値を設定ソーク時間としている。尚、実験によれば、ソーク時間Ｔｓがおおよそ２時間程度あれば、図４（ｃ）に示す実値である実際の燃料圧力は大気圧相当の圧力（図４(c)の燃料圧力ＰＦ＝０(大気相対圧)）まで充分に低下させることができることが解っている。そのため、本実施形態では、この設定ソーク時間をおおよそ２時間程度に設定している。
【００２９】
そして、ステップＳ３へ進み、ステップＳ２での比較結果を調べ、ＶBT＞設定電圧、且つＴid≧設定アイドル時間、且つＴｗ＞設定水温、且つＴｓ＞設定ソーク時間の場合、特性異常診断実行条件成立と判定し、ステップＳ４へ進む。又、上述した条件の一つでも満足されていない場合は、そのままルーチンを終了する。
【００３０】
このように、本実施形態では、特性異常診断実行条件として、エンジン停止直前のアイドル時間Ｔidが備えられており、このアイドル時間Ｔidが設定アイドル時間以上の場合（Ｔid≧設定アイドル時間）、高圧燃料ギャラリ４，５に供給されている燃料圧力は低圧となっているため、エンジン停止後、比較的短時間で燃料圧力を大気圧相当の圧力まで低下させることができる。その結果、エンジン再始動時における燃料圧力センサ１３の特性異常診断を行う機会を増加させることができる。
【００３１】
そして、上述したステップＳ３で特性異常診断実行条件が満足されていると判定して、ステップＳ４へ進むと、燃料圧力センサ１３で検出した燃料圧力ＰＦを読込み、ステップＳ５，Ｓ６で、この燃料圧力ＰＦが経年劣化を含めた公差内にあるか否かを調べる。図３に示すように、燃料圧力センサ１３は、中央値を挟んで上限値（＋）と下限値（−）との公差を有しており、センサ出力値ＶＰ[V]が、この公差内にある場合は正常と判定され、公差から外れている場合は異常と判定される。
【００３２】
又、運転者がキースイッチ２４をＯＮすると、電動式低圧燃料ポンプ１１が駆動し、停止している高圧燃料ポンプ８を経て高圧燃料ギャラリ４，５に、電動式低圧燃料ポンプ１１で発生した燃料圧力が供給される。その結果、図４（ｃ）の経過時間ｔ２に示す実値のように、キースイッチ２４をＯＮした瞬間、高圧燃料ギャラリ４，５内の燃料圧力ＰＦは電動式低圧燃料ポンプ１１による吐出圧に応じて上昇する。従って、キースイッチ２４をＯＮした際に、燃料圧力センサ１３で検出する燃料圧力ＰＦには電動式低圧燃料ポンプ１１による吐出圧分が含まれている。
【００３３】
従って、キースイッチ２４をＯＮしたときに判定する公差下限しきい値ＰＳＬ１と公差上限値ＰＳＬ２とは、予め電動式低圧燃料ポンプ１１による吐出圧分を考慮し、圧力上昇側へシフトした値に設定されている。
【００３４】
そして、先ず、ステップＳ５で、燃料圧力センサ１３で検出した燃料圧力ＰＦと公差下限しきい値ＰＬＳ１とを比較し、燃料圧力ＰＦが公差下限しきい値ＰＬＳ１未満の（低い）場合（ＰＦ＜ＰＬＳ１）、ステップＳ７へ進み、又、燃料圧力ＰＦが公差下限しきい値ＰＬＳ１以上の場合（ＰＦ≧ＰＳＬ１）、ステップＳ６へジャンプする。
【００３５】
ステップＳ６へジャンプすると、燃料圧力ＰＦと公差上限しきい値ＰＬＳ２とを比較し、燃料圧力ＰＦが公差上限しきい値ＰＬＳ２以下の場合（ＰＦ≦ＰＬＳ２）、燃料圧力センサ１３の出力値は公差範囲内にあり、正常と判定し、そのままルーチンを終了する。
【００３６】
一方、燃料圧力ＰＦが公差上限しきい値ＰＬＳ２を超過している場合（ＰＦ＞ＰＬＳ２）、燃料圧力センサ１３の出力値は公差正側のオフセット特性異常であると判定し（図４(c)参照）、ステップＳ８へ進み、図示しないインストルメントパネル等に配設されているチェックランプ等の警告手段を駆動させて、運転者に燃料圧力センサ１３の異常を報知すると共に、燃料圧力センサ１３の公差正側でのオフセット特性異常を示すトラブルコードをメモリに記憶して、ルーチンを終了する。
【００３７】
一方、燃料圧力ＰＦが公差下限しきい値ＰＬＳ１未満と判定されて、ステップＳ５からステップＳ７へ進むと、筒内直噴エンジン１が始動するまで待機し、筒内直噴エンジン１が始動と判定された場合、ステップＳ９へ進む。筒内直噴エンジン１が始動したか否かは、エンジン回転数センサ２３で検出したエンジン回転数を読込み、このエンジン回転数が所定値以上の場合、エンジン始動と判定する（図４(b)の経過時間ｔ３）。
【００３８】
筒内直噴エンジン１が始動すると、エンジン駆動式高圧燃料ポンプ８が駆動し、ＥＣＵ２１からの駆動信号によって動作する燃料圧力調整ソレノイドバルブ８ｂにて所定に調圧された燃料が高圧燃料ギャラリ４，５に送給されるため、高圧燃料ギャラリ４，５内の燃料圧力が上昇する。
【００３９】
そして、ステップＳ９へ進むと、燃料圧力センサ１３で検出した燃料圧力ＰＦを読込み、ステップＳ１０で、断線地絡判定しきい値ＰＳＬ３と比較する。この断線地絡判定しきい値ＰＳＬ３は、燃料圧力センサ１３に電力を供給する電源供給ラインが断線・地絡しているか否かを判定する値であり、公差下限しきい値ＰＳＬ１よりも所定に低い値に設定されている。
【００４０】
そして、燃料圧力ＰＦが断線地絡判定しきい値ＰＳＬ３を超過している（高い）場合（ＰＦ＞ＰＳＬ３）、ステップＳ１１へ進み、又、燃料圧力ＰＦが断線地絡判定しきい値ＰＳＬ３以下（低い）の場合（ＰＦ≦ＰＳＬ３）、ステップＳ１２へ進む。燃料圧力センサ１３に電力を供給する電源ラインに断線、或いは地絡が生じている場合、エンジン始動後の高圧燃料ポンプ８の駆動により実際の燃料圧力が上昇しても、燃料圧力センサ１３から出力される電圧（燃料圧力ＰＦ）が上昇することはないが、燃料圧力センサ１３自体に特性異常が生じている場合、実際の燃料圧力の上昇に伴い、燃料圧力センサ１３から出力される電圧（燃料圧力ＰＦ）も上昇する。
【００４１】
この高圧燃料ポンプ８から吐出される燃料圧力は比較的高いため、燃料圧力センサ１３から出力される電圧は高い値となる。その結果、ステップＳ１０で、燃料圧力ＰＦと断線地絡判定しきい値ＰＳＬ３とを比較することで、故障箇所が燃料圧力センサ１３自身か、電源ライン側かを明確に区別することができる。
【００４２】
そして、燃料圧力ＰＦが断線地絡判定しきい値ＰＳＬ３を越えている場合（ＰＦ＞ＰＳＬ３）、実際の燃料圧力の上昇により燃料圧力センサ１３の出力値が増加する挙動を示しているため、燃料圧力センサ１３の出力値は公差負側のオフセット特性異常であると判定し（図４(c)参照）、ステップＳ１１へ進み、上述したチェックランプ等の警告手段を駆動させて、運転者に燃料圧力センサ１３の異常を報知すると共に、燃料圧力センサ１３の公差負側でのオフセット特性異常を示すトラブルコードをメモリに記憶して、ルーチンを終了する。
【００４３】
一方、燃料圧力ＰＦが断線地絡判定しきい値ＰＳＬ３以下の場合（ＰＦ≦ＰＳＬ３）、すなわち、燃料圧力センサ１３の出力値が増加しない場合は、燃料圧力センサ１３に接続する電源ラインの断線、或いは地絡による故障と判定し、ステップＳ１２へ分岐し、上述したチェックランプ等の警告手段を駆動させて、運転者に燃料圧力センサ１３の電気系統の異常を報知すると共に、燃料圧力センサ１３に接続する電源ラインの故障を示すトラブルコードをメモリに記憶して、ルーチンを終了する。
【００４４】
このように、本実施形態によれば、燃料圧力センサ１３の特性異常診断を行う際の実行条件として、キーＯＦＦ直前のアイドル時間Ｔidが設定アイドル時間以上継続していることが加えられているため、エンジン停止時における高圧燃料ギャラリ４，５内の実際の燃料圧力を最小圧力まで低下させた後、エンジン停止されるため、その後、高圧燃料ギャラリ４，５内の燃料圧力が大気圧相当の圧力に低下するまでの時間が短縮され、その分、再始動持のソーク時間が比較的短い場合であっても燃料圧力センサ１３の異常を検出することができ、その分、特性異常診断の機会が増え、これにより、燃料圧力センサ１３の信頼性を高めることが出来る。
【００４５】
又、本実施形態では、エンジン停止時、高圧燃料ギャラリ４，５内の燃料圧力を最小圧にされていることが特性異常診断実行条件として加えられているため、複雑な特性異常診断実行条件が不要で、ソーク時間Ｔｓを判定する設定ソーク時間の設定が車種毎に容易となり、その結果、高い汎用性を得ることができる。
【００４６】
尚、本発明は、上述した実施形態に限るものではなく、例えば、適用する筒内直噴エンジンはディーゼルであっても良い。
【符号の説明】
【００４７】
１…筒内直噴エンジン、
２，３…高圧インジェクタ、
４，５…高圧燃料ギャラリ、
６…燃料ギャラリライン、
７…高圧燃料ライン、
８…高圧燃料ポンプ、
８ｂ…燃料圧力調整ソレノイドバルブ、
１０…燃料タンク、
１１…電動式低圧燃料ポンプ、
１３…燃料圧力センサ、
２１…電子制御装置、
２２…アクセルポジションセンサ、
２３…エンジン回転数センサ、
２４…キースイッチ、
２５…エンジン水温センサ
Ｎｅ…エンジン回転数、
ＰＦ…燃料圧力、
ＰＬＳ１…公差下限しきい値、
ＰＬＳ２…公差上限しきい値、
ＰＳＬ３…断線地絡判定しきい値、
Ｔid…アイドル時間、
Ｔｓ…ソーク時間、
ＶBT…バッテリ電圧、
ＶＰ…センサ出力値
【図１】
2015040493.tif 000003
【図２】
2015040493.tif 000004
【図３】
2015040493.tif 000005
【図４】
2015040493.tif 000006